(57)【特許請求の範囲】
【請求項１】
平面上に互いに平行してケーブル長さ方向に延びる金属薄膜からなる複数の信号導体と、
前記各信号導体のケーブル幅方向の両側に配置された金属薄膜からなる複数の接地導体と、
前記各信号導体および前記各接地導体が積層された電気絶縁基体と、
前記各信号導体、前記各接地導体および前記電気絶縁基体をケーブル厚さ方向の上下から被覆する上部電気絶縁薄膜層および下部電気絶縁薄膜層と、
金属層と電気絶縁プラスチック層からなり、前記金属層が内側に、前記電気絶縁プラスチック層が外側に位置するように前記上部電気絶縁薄膜層および前記下部電気絶縁薄膜層の外周を包囲する保護遮蔽層と、を備え、
前記保護遮蔽層は、ケーブル長手方向に沿った一方の端縁部と他方の端縁部が突き合わされて前記外周を包囲するとともに、前記上部および下部電気絶縁薄膜層と前記金属層とが接着により一体化されており、
前記保護遮蔽層の一方と他方の両端縁部が突き合わされて形成される突合せ部が、前記信号導体に挟まれない接地導体上に位置することを特徴とする信号伝送用フラットケーブル。
【請求項２】
前記突合せ部が、前記保護遮蔽層の一方の端縁部の下の位置にある、前記信号導体に挟まれない接地導体の前記信号導体と反対側の端部と該接地導体のケーブル幅方向中央部との間の領域上に位置することを特徴とする請求項１に記載の信号伝送用フラットケーブル。
【請求項３】
前記電気絶縁基体のケーブル幅方向の両端部と、前記保護遮蔽層の両端縁部の下の位置にある、前記信号導体に挟まれない接地導体の前記信号導体と反対側の端部は、該端部と前記保護遮蔽層の前記金属層が電気的に接触するように、一体的に折り曲げられていることを特徴とする請求項１又は２に記載の信号伝送用フラットケーブル。
【請求項４】
前記上部電気絶縁薄膜層の厚さを、前記電気絶縁基体の厚さと前記下部電気絶縁薄膜層の厚さとを加えた厚さに等しくしたことを特徴とする請求項１から３のいずれか1項に記載の信号伝送用フラットケーブル。
【請求項５】
前記信号導体に挟まれない接地導体と前記信号導体の間、並びに前記信号導体に挟まれた接地導体と前記信号導体の間に形成された空隙内のエアをそれぞれ抜くためのエア抜き孔が該空隙位置に対応する前記電気絶縁基体の位置に形成されることを特徴とする請求項１から４のいずれか１項に記載の信号伝送用フラットケーブル。 
【発明の詳細な説明】
【技術分野】
【０００１】
本発明は、薄型でかつ優れた電気特性を有する信号伝送用フラットケーブル、特に、携帯電話やノートパソコン等の内部配線に適した信号伝送用フラットケーブルに関するものである。
【背景技術】
【０００２】
携帯電話やノートパソコンのような高密度配線電子機器に使用される信号伝送用フラットケーブルには、狭い空間での配線を可能とするために薄型でかつ高周波帯域での伝送損失が小さいことが要求される。
【０００３】
このような信号伝送用フラットケーブルとして、金属薄膜からなる信号導体と、信号導体のケーブル幅方向の両側に配置され、金属薄膜からなる接地導体と、信号導体および接地導体が積層された電気絶縁基体と、これらの信号導体、接地導体および電気絶縁基体をケーブル厚さ方向の上下から被覆する上部電気絶縁薄膜層および下部電気絶縁薄膜層と、金属層の一方面に電気絶縁プラスチック層が積層され、電気絶縁プラスチック層が外側となるようにして上部電気絶縁薄膜層および下部電気絶縁薄膜層の直接外周に設けられた保護遮蔽層とを備えた同軸ケーブルが提案されている（特許文献１）。
【０００４】
上記同軸ケーブルでは、保護遮蔽層は、ケーブル横断面において上部電気絶縁薄膜層および下部電気絶縁薄膜層を一括包囲すると共に、ケーブル長手方向において一方の端縁部を他方の端縁部の外側に重ね合わせることにより形成された重ね合わせ部を有している。
【０００５】
また、信号導体を複数併設した多芯同軸も多数提案されており、例えば、信号が伝送される中心導体を絶縁フィルムで挟み込み、その絶縁フィルムをさらに外部導体で被覆した角型同軸構造のケーブルを形成した後、それらを複数本並列に束ねることにより高速伝送と耐雑音特性の向上を図ることが行われている（特許文献２）。
【先行技術文献】
【特許文献】
【０００６】
【特許文献１】特開２０１１−１１９１９８号公報
【特許文献２】特開２００３−３２３８２４号公報
【発明の概要】
【発明が解決しようとする課題】
【０００７】
特許文献１に記載された信号伝送用フラットケーブルでは、保護遮蔽層は、ケーブル横断面において上部電気絶縁薄膜層および下部電気絶縁薄膜層を一括包囲するとともに、ケーブル長手方向において一方の端縁部が他方の端縁部の外側に重ね合わせることにより形成された重ね合わせ部を有している。そして、上部電気絶縁薄膜層および下部電気絶縁薄膜層と金属層とは、上部電気絶縁薄膜層および下部電気絶縁薄膜層を溶融させることにより接着一体化されており、ケーブルの形崩れを防止できるという特徴がある。
【０００８】
しかしながら、この信号伝送用フラットケーブルでは、重ね合わせ部がケーブル幅方向の中央部に形成されており、上部電気絶縁薄膜層および下部電気絶縁薄膜層を保護遮蔽層で一括包囲した状態でケーブルの上下方向に加圧すると、重ね合わせ部の厚さによって上部電気絶縁薄膜層および下部電気絶縁薄膜層が凹み、中央部が他の部分よりも薄くなってしまう。信号導体が位置するケーブル幅方向の中央部は電界強度が最も大きい部分であり、ここで上部電気絶縁薄膜層および下部電気絶縁薄膜層の厚さが変化すると、高周波周波数帯域における信号伝送特性が低下することになる。
【０００９】
また、信号導体を複数併設した多芯同軸ケーブルにおいても、ケーブルの形崩れの防止、高周波周波数帯域における信号伝送特性の劣化防止において同様な問題がある。
【００１０】
そこで、本発明は、ケーブルの形崩れを防止でき、しかも高周波周波数帯域における信号伝送特性の低下を抑止することができる信号伝送用フラットケーブルを提供することを課題とする。
【課題を解決するための手段】
【００１１】
上記課題を達成する本発明は、
平面上に互いに平行してケーブル長さ方向に延びる金属薄膜からなる複数の信号導体と、
前記各信号導体のケーブル幅方向の両側に配置された金属薄膜からなる複数の接地導体と、
前記各信号導体および前記各接地導体が積層された電気絶縁基体と、
前記各信号導体、前記各接地導体および前記電気絶縁基体をケーブル厚さ方向の上下から被覆する上部電気絶縁薄膜層および下部電気絶縁薄膜層と、
金属層と電気絶縁プラスチック層からなり、前記金属層が内側に、前記電気絶縁プラスチック層が外側に位置するように前記上部電気絶縁薄膜層および前記下部電気絶縁薄膜層の外周を包囲する保護遮蔽層と、を備え、
前記保護遮蔽層は、ケーブル長手方向に沿った一方の端縁部と他方の端縁部が突き合わされて前記外周を包囲するとともに、前記上部および下部電気絶縁薄膜層と前記金属層とが接着により一体化されており、
前記保護遮蔽層の一方と他方の両端縁部が突き合わされて形成される突合せ部が、前記信号導体に挟まれない接地導体上に位置することを特徴とする。
【発明の効果】
【００１２】
このような構成では、保護遮蔽層は、ケーブル長手方向において一方の端縁部が他方の端縁部に重ね合わせることなく突き合わせることにより上部電気絶縁薄膜層および下部電気絶縁薄膜層をケーブル横断面において一括包囲して形成され、かつ上部電気絶縁薄膜層および下部電気絶縁薄膜層と金属層とは、接着一体化されているので、多芯同軸ケーブルの形崩れを防止でき、しかも高周波周波数帯域における信号伝送特性の低下を抑止することができる。
【００１３】
また、保護遮蔽層の一方と他方の両端縁部が突き合わされて形成される突合せ部が、接地導体上に位置し、信号導体から離れていることにより、高周波周波数帯域における信号伝送特性の低下を抑止することができる。
【００１４】
突合せ部は、好ましくは、保護遮蔽層の一方の端縁部にある接地導体の信号導体と反対側の端部と該接地導体のケーブル幅方向中央部との間の領域上に位置する。
【図面の簡単な説明】
【００１５】
【図１】本発明の信号伝送用フラットケーブルの一部を横断して示した斜視図である。
【図２】（ａ）〜（ｅ）は、信号伝送用フラットケーブルの製造方法を説明する横断面図である。
【図３】（ａ）、（ｂ）は信号導体と接地導体間の空隙にあるエアを抜く工程を説明する横断面図である。
【発明を実施するための形態】
【００１６】
以下、図面に示す実施例に基づいて本発明を詳細に説明する。
【実施例】
【００１７】
図１は本発明の一実施例を示す信号伝送用フラットケーブル１００の一部を横断で示した斜視図である。フラットケーブル１００は多芯同軸ケーブルとして構成されており、電気絶縁基体３の一方面に金属薄膜からなる２つの信号導体１ａ、１ｂと、金属薄膜からなる３つの接地導体２ａ、２ｂ、２ｃとが平面上に配置されている。信号導体１ａ、１ｂは、互いに平行してケーブル長さ方向Ｌに延びており、本実施例では２本の信号導体が設けられている。接地導体２ｂ、２ａは信号導体１ａのケーブル幅方向の左右側にそれぞれ平行に配置されており、接地導体２ａ、２ｃは信号導体１ｂのケーブル幅方向の左右側にそれぞれ平行に配置されている。接地導体２ａは信号導体１ａ、１ｂに挟まれる形で配置され、各接地導体２ａ、２ｂ、２ｃのケーブル幅方向の長さはほぼ等しくなっている。本明細書において、ケーブル幅方向とは、信号伝送用フラットケーブル１００が長く延びる図１でＬで示したケーブル長手方向と直交する方向で、図１で左右に延びるＷで示した方向である。また、ケーブル厚さ方向は、Ｌ、Ｗと直交する図１で上下に延びるＤで示した方向である。
【００１８】
上部電気絶縁薄膜層４および下部電気絶縁薄膜層５は、信号導体１ａ、１ｂ、接地導体２ａ、２ｂ、２ｃおよび電気絶縁基体３をケーブル厚さ方向の上下から被覆するように設けられている。また、上部電気絶縁薄膜層４および下部電気絶縁薄膜層５の直接外周には、金属層６の一方面に電気絶縁プラスチック層７が積層された保護遮蔽層８が、電気絶縁プラスチック層７が外側となるようにして設けられている。
【００１９】
保護遮蔽層８は、ケーブル長手方向において一方の端縁部１０が他方の端縁部１１に重ね合わせることなく突き合わせることにより上部電気絶縁薄膜層４および下部電気絶縁薄膜層５をケーブル横断面において一周包囲して形成されている。すなわち、保護遮蔽層８は、ケーブル横断面の左上隅付近において端縁部１０と端縁部１１とがケーブル長手方向に連続して突き合わされて突合せ部１２を形成している。突合せ部１２は、ケーブル幅方向に見て信号導体１ａ、１ｂから離れた位置にあり、左側の接地導体２ｂ上に位置している。保護遮蔽層８は、突合せ部１２が可能な限り信号導体１ａ、１ｂから離間した位置に形成されるように、突き合わせるのが好ましい。また、突合せ部１２がケーブルの幅方向端部に近づくと、突き合せが困難となるので、突合せ部１２は、図１に示したように、接地導体２ｂのケーブル幅方向の幅をＸとして、保護遮蔽層８の一方の端縁部１０にある接地導体２ｂの信号導体１ａと反対側の端部と接地導体２ｂのケーブル幅方向中央部との間のＸ／２の幅の領域上に形成されている。突合せ部１２は、図１では、左側の接地導体２ｂ上に位置しているが、右側の接地導体２ｃ上に位置するように、保護遮蔽層８を突き合わせるようにしてもよい。このように、突合せ部１２を信号導体１から離間させることにより、信号導体に与える影響が少なくなり、高周波周波数帯域における信号伝送特性の低下を抑止することができる。
【００２０】
金属層６と電気絶縁プラスチック層７とを積層一体化した保護遮蔽層８を上部電気絶縁薄膜層４および下部電気絶縁薄膜層５の外周に被覆形成した状態で、保護遮蔽層８の上下方向から加熱加圧（ホットプレス）を施すことにより、上部電気絶縁薄膜層４および下部電気絶縁薄膜層５が軟化溶融されて金属層６と接着一体化され、これによって、保護遮蔽層８の形崩れを防止できる。
【００２１】
また、保護遮蔽層８の端縁部１０と端縁部１１とを重ね合わせることなく突き合わせただけで開口の発生を防止できるので、加熱加圧時における上部電気絶縁薄膜層４および下部電気絶縁薄膜層５の厚さがケーブル幅全体において一定となり、高周波周波数帯域における信号伝送特性の低下を抑止することが可能となる。
【００２２】
本実施例においては、接地導体２ｂ、２ｃと電気絶縁基体３とを積層した端部を下部電気絶縁薄膜層５の端部に折り曲げることにより折り曲げ部９ａ、９ｂを形成し、この折り曲げ部９ａ、９ｂの接地導体２ｂ、２ｃを金属層６側に位置させている。従って、接地導体２ｂ、２ｃと金属層６とは安定した電気的接触がなされるようになり、信号伝送用フラットケーブルの高周波周波数帯域における信号伝送損失の増大を抑止できる。なお、折り曲げ部９は、上部電気絶縁薄膜層４側に形成するようにしてもよい。
【００２３】
信号導体１ａ、１ｂおよび接地導体２ａ、２ｂ、２ｃは、共に良導電性の金属で形成されており、具体的には、産業的に良導電性金属として一般的である銅（導電率：５．７６×１０７ジーメンス／ｍ）を箔状に加工したものを電気絶縁薄膜層４あるいは電気絶縁基体３に積層することにより、または銅を電気絶縁薄膜層４あるいは電気絶縁基体３に蒸着あるいはめっきを施すことにより形成することができ、銅以外の金属としてはアルミニウム（導電率：３．９６×１０７ジーメンス／ｍ）をあげることができる。
【００２４】
なお、携帯電話やノートパソコンのように２ＧＨｚを越えるような高周波信号が伝送される電子機器では、所謂表皮効果と呼ばれる現象によって数ミクロンの表面層に電流が集中するので、導電率が銅やアルミニウムより小さいニッケルのようなめっき層は伝送損失を増大させることから、このようなめっき層を信号導体１ａ、１ｂや接地導体２ａ、２ｂ、２ｃの表面に形成しないようにする必要がある。
【００２５】
保護遮蔽層８を形成する金属層６は、信号導体１ａ、１ｂや接地導体２ａ、２ｂ、２ｃと同様に、銅またはアルミニウムのような良導電性の金属で形成することが好ましい。なお、従来の信号伝送用フラットケーブルにおいては金属層６の表面に導電性接着層を形成して上部電気絶縁薄膜層４および下部電気絶縁薄膜層５と金属層６とを接着させていたが、導電性接着層は、前述したように、２ＧＨｚを越えるような高周波信号が伝送される電子機器では伝送損失を増大させるので、上部電気絶縁薄膜層４および下部電気絶縁薄膜層５と金属層６との間には導電性接着層は形成しないようにする必要がある。
【００２６】
本実施例では、上部電気絶縁薄膜層４の厚さを０．１２５ｍｍ、電気絶縁基体３の厚さを０．０２５ｍｍとし、下部電気絶縁薄膜層５の厚さを０．１００ｍｍとすることにより、信号導体１および接地導体２、２の上部と下部の絶縁体の厚さを等しくして（各々０．１２５ｍｍ）、特性インピーダンスが５０Ωの丸型同軸ケーブルと同様の信号伝送特性を有する信号伝送用多芯同軸フラットケーブル１００を実現できる。厚さ０．０２５ｍｍの電気絶縁基体と銅箔とを積層した銅張積層板は市販されており、このような市販品を使用することにより、信号伝送用フラットケーブルのコストダウンをはかることができる。
【００２７】
上部電気絶縁薄膜層４および下部電気絶縁薄膜層５は、加熱によって溶融接着する性質を有する熱可塑性樹脂材料からなっており、保護遮蔽層８の外側から加えられる熱によって上部電気絶縁薄膜層４および下部電気絶縁薄膜層５と金属層６とが溶融接着されることにより、上部電気絶縁薄膜層４および下部電気絶縁薄膜層５と保護遮蔽層８とが剥離されにくくなり、保護遮蔽層８の形崩れを防止でき、また、上部電気絶縁薄膜層４および下部電気絶縁薄膜層５と金属層６とは伝送損失の増加要因となる接着剤の介在なしに直接接着されているので、低損失での伝送が可能となる。
【００２８】
電気絶縁プラスチック層７は、加熱によって溶融接着する性質を有する熱可塑性プラスチック材料からなっている。このため、保護遮蔽層８は、金属層６を内側、電気絶縁プラスチック層７を外側にして両者を接着剤等の介在物なしで直接積層形成した状態でケーブル横断面において上部電気絶縁薄膜層４および下部電気絶縁薄膜層５を一括包囲することができる。すなわち、保護遮蔽層８は、接着剤等の介在物なしで金属層６と電気絶縁プラスチック層７とを積層したものであり、接着剤が存在しない分だけ薄く形成することができ、薄型の信号伝送用多芯同軸フラットケーブルを実現できる。
【００２９】
また、保護遮蔽層８は、ケーブル長手方向において一方の端縁部１０と他方の端縁部１１とが突き合わされて突合せ部１２が形成されている。この場合、金属層６と電気絶縁プラスチック層７とが電気絶縁プラスチック層７の加熱による溶融によって接着一体化されており、端縁部１０と端縁部１１との突合せ部１２およびその近辺において開口が発生しにくくなり、遮蔽効果の低下を抑止することができる。
【００３０】
なお、保護遮蔽層８を上部電気絶縁薄膜層４および下部電気絶縁薄膜層５の外周に被覆形成した状態で、保護遮蔽層８の上下方向からホットプレスを行う場合、ホットプレスによって電気絶縁プラスチック層７が変形しないようにするため、または変形しにくくするため、上部電気絶縁薄膜層４および下部電気絶縁薄膜層５と電気絶縁プラスチック層７とは同種の材料を使用すること、または、上部電気絶縁薄膜層４および下部電気絶縁薄膜層５の方が電気絶縁プラスチック層７よりも低温で熱軟化する材料を選択して使用することが好ましい。
【００３１】
上部電気絶縁薄膜層４および下部電気絶縁薄膜層５は加熱によって溶融接着する性質を有し、かつ、２ＧＨｚを越えるような高周波帯域での誘電率および誘電正接が小さい材料であることが好ましく、このような材料としては、液晶ポリマーやポリテトラフルオロエチレンをあげることができる。
【００３２】
液晶ポリマーは、溶融時に光学的異方性を示す熱可塑性樹脂であり、具体的には、全芳香族系もしくは半芳香族系のポリエステル、ポリエステルイミド、ポリエステルアミド、あるいはこれらを含有する樹脂組成物があげられ、なかでも（Ａ）液晶ポリエステルを連続相とし（Ｂ）液晶ポリエステルと反応性を有する官能基を有する共重合体を分散相とする液晶ポリエステル樹脂組成物が好ましい。
【００３３】
電気絶縁プラスチック層７は、上部電気絶縁薄膜層４および下部電気絶縁薄膜層５と同様に加熱によって溶融接着する性質を有し、かつ、上部電気絶縁薄膜層４および下部電気絶縁薄膜層５と金属層６とを加熱により接着させるときに加えられる熱によっては変形しないまたは変形しにくい性質を有する必要があり、このような材料としては、電気絶縁薄膜層４を液晶ポリマーで形成したときは、液晶ポリマーあるいは極性有機溶媒可溶性ポリアミドイミド樹脂とフッ素系樹脂とを含有するプラスチック組成物をあげることができる。
【００３４】
極性有機溶媒可溶性ポリアミドイミド樹脂単独で形成した被膜の誘電率は３．５以上、誘電正接は０．０１２以上（誘電率、誘電正接はいずれも空洞共振器摂動により周波数１ＧＨｚで測定）であるが、極性有機溶媒可溶性ポリアミドイミド樹脂とフッ素系樹脂とを含有するプラスチック組成物で形成した被膜（電気絶縁プラスチック層７）は、誘電率が３．２０以下、誘電正接が０．０１以下（誘電率、誘電正接はいずれも空洞共振器摂動により周波数１ＧＨｚで測定）となり、電気特性が著しく向上する。
【００３５】
フッ素系樹脂は、ポリテトラフルオロエチレン、テトラフルオロエチレン−パーフルオロアルキルビニルエーテル共重合体、テトラフルオロエチレン−ヘキサフルオロプロピレン共重合体及びテトラフルオロエチレン−エチレン共重合体等から選ばれた１種又は２種以上が使用される。
【００３６】
次に、本実施例の信号伝送用フラットケーブルの製造方法を図２に基づいて説明する。電気絶縁基体３の上面に折り曲げ部９ａ、９ｂを考慮して電気絶縁基体３より幅広の幅寸法を有する銅箔Ｃを積層した銅張積層板を用意し（図２（ａ））、銅箔Ｃをエッチングすることにより信号導体１ａ、１ｂおよび接地導体２ａ、２ｂ、２ｃを形成する（図２（ｂ））。このとき、中央の接地導体２ａの中心が電気絶縁基体３の中心３ａと一致するように、また接地導体２ａと２ｂ間の幅と接地導体２ａ、２ｃ間の幅が同じ値Ｗ１となり、接地導体２ａ、２ｂ間の中央に信号導体１ａの中心が位置し、接地導体２ａ、２ｃ間の中央に信号導体１ｂの中心が位置するように、エッチングする。
【００３７】
次に、信号導体１ａ、１ｂおよび接地導体２ａ、２ｂ、２ｃの上部に上部電気絶縁薄膜層４を積層すると共に、電気絶縁基体３の下部に下部電気絶縁薄膜層５を設け（図２（ｃ））、電気絶縁基体３のケーブル幅方向の両端部を接地導体２ｂ、２ｃのケーブル幅方向端部と一体に折り曲げることにより折り曲げ部９ａ、９ｂを形成する（図２（ｄ））。
【００３８】
続いて、図２（ｅ）に示すように、上部電気絶縁薄膜層４および下部電気絶縁薄膜層５の外周に保護遮蔽層８を被覆形成し、保護遮蔽層８の上下方向から加熱加圧（ホットプレス）を施すことにより、上部電気絶縁薄膜層４および下部電気絶縁薄膜層５が軟化溶融されて金属層６と接着されて、図１に示すような信号伝送用フラットケーブル１００が作製される。
【００３９】
本実施例の信号伝送用フラットケーブルは、電気絶縁基体３が金属薄膜である信号導体１ａ、１ｂおよび接地導体２ａ、２ｂ、２ｃを補強する役目を担っており、電気絶縁基体３と銅箔Ｃとを積層した銅張積層板の使用は、接地導体２ｂ、２ｃの取り扱い性を大幅に改善しており、これによって、折り曲げ部９ａ、９ｂの形成が容易化される。
【００４０】
前記実施例では、電気絶縁基体３のケーブル幅方向の両端部を接地導体２ｂ、２ｃのケーブル幅方向端部と一体に下部電気絶縁薄膜層５側に折り曲げることにより折り曲げ部９ａ、９ｂを形成しているが、上部電気絶縁薄膜層４側に折り曲げることにより折り曲げ部を形成してもよい。この場合、信号導体１ａ、１ｂおよび接地導体２ａ、２ｂ、２ｃを電気絶縁基体３の上方に設けることにより、折り曲げによって接地導体２ｂ、２ｃと金属層６とが接触するようにし、かつ、上部電気絶縁薄膜４の厚さが電気絶縁基体３の厚さと下部電気絶縁薄膜５の厚さとを加えた厚さと等しくなるようにして、信号導体１ａ、１ｂおよび接地導体２ａ、２ｂ、２ｃの上下の絶縁体の厚さを等しくするように構成することが好ましい。
【００４１】
本実施例のように、信号伝送用フラットケーブルを多芯同軸ケーブルとした場合、信号導体と接地導体間に多数の空隙が形成され、そこにエアが存在すると、誘電率が大きくなる。従って、図３（ａ）に示したように、信号導体１ａと接地導体２ａ、２ｂ間の空隙位置並びに信号導体１ｂと接地導体２ａ、２ｃ間の空隙位置に対応する電気絶縁基体３の位置にエア抜き孔３ｂを形成する。そして、図３（ｂ）に示したように、上部電気絶縁薄膜層４をプレスにより信号導体１ａ、１ｂ並びに接地導体２ａ、２ｂ、２ｃに圧着させ、各空隙を密封した後、エア抜きを行う。エア抜きは、図示してないが、各空隙のエアがエア抜き孔３ｂから抜かれるような装置を用いて行うようにする。エア抜きが行われた段階で下部電気絶縁薄膜層５を下部からプレスして電気絶縁基体３に密着させ、各空隙からエア抜きされた状態を保持させる。その後は、図２（ｄ）、（ｅ）と同様な工程が行われ、エア抜きされた多芯同軸ケーブルが作製される。
【００４２】
なお、上述した実施例では、信号導体は２本、接地導体は３本設けられているが、それ以上の複数の信号導体、接地導体を設けるようにしてもよい。その場合、接地導体は信号導体の数＋１設けられるが、いずれの本数でも、信号導体、接地導体は電気絶縁基体３の中心線３ａを中心に線対称となるように配列し、隣接する接地導体間の距離はいずれも同じで（図２（ｂ）ではＷ１）、該接地導体間の中央にその間の信号導体の中心が位置するように配列する。また、ケーブルの幅方向の両端縁部には、それぞれ接地導体が位置するように配列する。信号導体が偶数個の場合には、電気絶縁基体３の中心３ａの位置には接地導体が位置し、奇数個の場合には中心３ａの位置には信号導体が位置する。
【産業上の利用可能性】
【００４３】
本発明によれば、電気絶縁薄膜層と保護遮蔽層との間の剥離発生に起因する保護遮蔽層の形崩れの防止をはかることができるとともに、上部電気絶縁薄膜層４および下部電気絶縁薄膜層５のケーブル幅方向での厚さの変化を抑えることができるので、多芯同軸ケーブルの高周波周波数帯域における信号伝送特性の低下を抑止することができる。
【符号の説明】
【００４４】
１ａ、１ｂ  信号導体
２ａ、２ｂ、２ｃ  接地導体
３  電気絶縁基体
３ａ  エア抜き孔
４  上部電気絶縁薄膜層
５  下部電気絶縁薄膜層
６  金属層
７  電気絶縁プラスチック層
８  保護遮蔽層
９  折り曲げ部
１２  突合せ部
【要約】
【課題】高周波周波数帯域における信号伝送特性の低下を抑止することができる信号伝送用フラットケーブルを提供する。
【解決手段】信号導体１ａ、１ｂ、接地導体２ａ、２ｂ、２ｃおよび電気絶縁基体３をケーブル厚さ方向の上下から被覆する上部電気絶縁薄膜層４および下部電気絶縁薄膜層５を備える。保護遮蔽層８は、金属層６と電気絶縁プラスチック層７からなり、金属層が内側に、電気絶縁プラスチック層が外側に位置するように上部および下部電気絶縁薄膜層の外周を包囲する。保護遮蔽層は、ケーブル長手方向に沿った一方の端縁部１０と他方の端縁部１１が突き合わされて前記外周を包囲する。また、上部および下部電気絶縁薄膜層４、５と金属層６とが接着により一体化される。
【選択図】図１【図１】
0005534628.tif 000002
【図２】
0005534628.tif 000003
【図３】
0005534628.tif 000004